【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
患者の心血管系の情報の表示のためのシステムであって、
前記患者の心臓の形状に関する患者別画像データを受信し、
前記患者別画像データに基づいて、前記患者の心臓の動脈の少なくとも一部分を通じた血流のモデルを作成し、
前記モデルに基づいて、前記患者の心臓の前記動脈の前記部分内の血流特性の少なくとも１つの値を判定し、
前記動脈の少なくとも一部を通じた前記判定された血流特性の表現を含む報告を、前記表現が第１の軸及び第２の軸に重ねて描画される線を含み、前記第１の軸の第１の端部が前記動脈の前記部分の近位端に対応し、前記第１の軸の第２の端部が前記動脈の前記部分の遠位端に対応し、前記第２の軸が前記血流値に対応するように生成する、
ように構成される少なくとも１つのコンピュータシステム、
を含む前記システム。
【請求項２】
患者の心血管系の情報の表示のためにコンピュータに実装される方法であって、
前記患者の心臓の形状に関する患者別画像データの受信と、
前記患者別画像データに基づく、前記患者の心臓の動脈の少なくとも一部分を通じた血流のモデルの作成と、
前記モデルに基づく、前記患者の心臓の前記動脈の前記部分内の前記血流特性の少なくとも１つの値の判定と、
前記動脈の少なくとも一部と通じた前記判定された血流特性の表現を含む報告の、前記表現が第１の軸及び第２の軸に重ねて描画される線を含み、前記第１の軸の第１の端部が前記動脈の前記部分の近位端に対応し、前記第１の軸の第２の端部が前記動脈の前記部分の遠位端に対応し、前記第２の軸が前記血流特性値に対応するような生成と、
を含む前記方法。
【請求項３】
プロセッサによる実行時に前記プロセッサに患者の心血管系の情報を表示する方法を実行させる命令を格納する、非一時的コンピュータ可読媒体であって、
前記方法は、
前記患者の心臓の形状に関する患者別画像データの受信と、
前記患者別画像データに基づく、前記患者の心臓の動脈の少なくとも一部分を通じた血流のモデルの作成と、
前記モデルに基づく、患者の心臓の動脈の前記部分内の前記血流特性の少なくとも１つの値の判定と、
前記動脈の少なくとも一部と通じた前記判定された血流特性の表現を含む報告の、前記表現が第１の軸及び第２の軸に重ねて描画される線を含み、前記第１の軸の第１の端部が前記動脈の前記部分の近位端に対応し、前記第１の軸の第２の端部が前記動脈の前記部分の遠位端に対応し、前記第２の軸が前記血流特性値に対応するような表示と、を含む、
前記非一時的コンピュータ可読媒体。
【請求項４】
前記線に沿った位置における前記線の色が前記動脈の対応する位置における前記血流特性値に対応する、請求項１に記載のシステム。
【請求項５】
前記線に沿った位置における前記線の幅が前記動脈の対応する位置における内腔径に対応する、請求項１に記載のシステム。
【請求項６】
前記報告が前記動脈の前記部分の第２の表現をさらに含むシステムであって、
前記少なくとも１つの前記血流特性値を含む前記報告上にインジケータを、前記インジケータが前記第１の表現上に点を、前記第２の表現上に対応する点を視覚的に示すように表示する、
ように前記コンピュータシステムがさらに構成される、請求項１に記載のシステム。
【請求項７】
前記少なくとも１つの前記血流特性値が所定の閾値を満たすことが検知される際に前記インジケータが前記報告上に表示される、請求項６に記載のシステム。
【請求項８】
前記動脈の前記部分の解剖学的組織画像を含む、前記報告のための前記動脈の前記部分の第２の表現を生成し、
前記表現及び前記第２の表現に基づいて前記動脈の前記部分の第３の表現を、前記第３の表現が前記第１の軸に沿って配向する前記動脈の前記部分の三次元表現を含み、前記動脈の前記部分の前記第３の表現が１つまたは複数の関連する前記血流特性値にしたがって示されるように生成する、
ように前記コンピュータシステムがさらに構成される、請求項１に記載のシステム。
【請求項９】
前記第２の軸が複数の血流特性にさらに対応する、請求項１に記載のシステム。
【請求項１０】
前記表現が、前記動脈の前記部分に沿った１つまたは複数の動脈交差部の１つまたは複数の位置に対応する前記第１の軸に沿った１つまたは複数のインジケータをさらに含む、請求項１に記載のシステム。
【請求項１１】
前記動脈の前記部分の解剖学的組織画像を含む、前記報告のための前記動脈の前記部分の第２の表現を生成し、
前記表現及び前記第２の表現に基づいて、前記動脈の前記部分の第３の表現を、前記第３の表現が前記動脈の前記部分の三次元表現を含み前記モデルの少なくとも一部に対応し、前記表現、前記第２の表現、及び前記第３の表現が、前記動脈の前記部分の前記近位及び遠位端に対応する前記第１の軸を共有するように生成する、
ように前記コンピュータシステムがさらに構成される、請求項１に記載のシステム。
【請求項１２】
前記第１の軸が前記動脈の前記部分の前記大動脈口からの位置の距離に対応する、請求項１に記載のシステム。
【請求項１３】
前記線に沿った位置における前記線の色が前記動脈の対応する位置における前記血流特性値に対応する、請求項２に記載の方法。
【請求項１４】
前記線に沿った位置における前記線の幅が前記動脈の対応する位置における内腔径に対応する、請求項２に記載の方法。
【請求項１５】
前記報告が前記動脈の前記部分の第２の表現をさらに含む方法であって、
前記少なくとも１つの前記血流特性値を含む前記報告上のインジケータの、前記インジケータが前記第１の表現上に点を、前記第２の表現上に対応する点を視覚的に示すような表示、
をさらに含む、請求項２に記載の方法。
【請求項１６】
前記少なくとも１つの前記血流特性値が所定の閾値を満たすことが検知される際に前記インジケータが前記報告上に表示される、請求項１５に記載の方法。
【請求項１７】
前記動脈の前記部分の解剖学的組織画像を含む、前記報告のための前記動脈の前記部分の第２の表現の生成と、
前記表現及び前記第２の表現に基づく、前記動脈の前記部分の第３の表現の、前記第３の表現が前記第１の軸に沿って配向する前記動脈の前記部分の三次元表現を含み、前記動脈の前記部分の前記第３の表現が１つまたは複数の関連する前記血流特性値にしたがって示されるような生成と、
をさらに含む、請求項２に記載の方法。
【請求項１８】
前記第２の軸が複数の血流特性にさらに対応する、請求項２に記載の方法。
【請求項１９】
前記表現が、前記動脈の前記部分に沿った１つまたは複数の動脈交差部の１つまたは複数の位置に対応する前記第１の軸に沿った１つまたは複数のインジケータをさらに含む、請求項２に記載の方法。
【請求項２０】
前記動脈の前記部分の解剖学的組織画像を含む、前記報告のための前記動脈の前記部分の第２の表現の生成と、
前記表現及び前記第２の表現に基づく前記動脈の前記部分の第３の表現の、前記第３の表現が前記動脈の前記部分の三次元表現を含み、前記モデルの少なくとも一部に対応し、前記表現、前記第２の表現、及び前記第３の表現が前記動脈の前記部分の前記近位及び遠位端に対応する前記第１の軸を共有するような生成と、
をさらに含む、請求項２に記載の方法。
【手続補正２】
【補正対象書類名】明細書
【補正対象項目名】００１３
【補正方法】変更
【補正の内容】
【００１３】
追加的な実施形態及び利点が、添付の付属書類を含む以下の説明に一部は記載され、説明から明らかになり、あるいは本開示の実施により学び得る。実施形態及び利点は、特に以下に記載する要素及び組み合わせによって実現、達成されることとなる。
本願明細書は、例えば、以下の項目も提供する。
（項目１）
患者の心血管系の情報の表示のためのシステムであって、
前記患者の心臓の形状に関する患者別画像データを受信し、
前記患者別画像データに基づいて、前記患者の心臓の動脈の少なくとも一部分を通じた血流のモデルを作成し、
前記モデルに基づいて、前記患者の心臓の前記動脈の前記部分内の血流特性の少なくとも１つの値を判定し、
前記動脈の少なくとも一部を通じた前記判定された血流特性の表現を含む報告を、前記表現が第１の軸及び第２の軸に重ねて描画される線を含み、前記第１の軸の第１の端部が前記動脈の前記部分の近位端に対応し、前記第１の軸の第２の端部が前記動脈の前記部分の遠位端に対応し、前記第２の軸が前記血流値に対応するように生成する、
ように構成される少なくとも１つのコンピュータシステム、
を含む前記システム。
（項目２）
患者の心血管系の情報の表示のためにコンピュータに実装される方法であって、
前記患者の心臓の形状に関する患者別画像データの受信と、
前記患者別画像データに基づく、前記患者の心臓の動脈の少なくとも一部分を通じた血流のモデルの作成と、
前記モデルに基づく、前記患者の心臓の前記動脈の前記部分内の前記血流特性の少なくとも１つの値の判定と、
前記動脈の少なくとも一部と通じた前記判定された血流特性の表現を含む報告の、前記表現が第１の軸及び第２の軸に重ねて描画される線を含み、前記第１の軸の第１の端部が前記動脈の前記部分の近位端に対応し、前記第１の軸の第２の端部が前記動脈の前記部分の遠位端に対応し、前記第２の軸が前記血流特性値に対応するような生成と、
を含む前記方法。
（項目３）
プロセッサによる実行時に前記プロセッサに患者の心血管系の情報を表示する方法を実行させる命令を格納する、非一時的コンピュータ可読媒体であって、
前記方法は、
前記患者の心臓の形状に関する患者別画像データの受信と、
前記患者別画像データに基づく、前記患者の心臓の動脈の少なくとも一部分を通じた血流のモデルの作成と、
前記モデルに基づく、患者の心臓の動脈の前記部分内の前記血流特性の少なくとも１つの値の判定と、
前記動脈の少なくとも一部と通じた前記判定された血流特性の表現を含む報告の、前記表現が第１の軸及び第２の軸に重ねて描画される線を含み、前記第１の軸の第１の端部が前記動脈の前記部分の近位端に対応し、前記第１の軸の第２の端部が前記動脈の前記部分の遠位端に対応し、前記第２の軸が前記血流特性値に対応するような表示と、を含む、
前記非一時的コンピュータ可読媒体。
（項目４）
前記線に沿った位置における前記線の色が前記動脈の対応する位置における前記血流特性値に対応する、項目１に記載のシステム。
（項目５）
前記線に沿った位置における前記線の幅が前記動脈の対応する位置における内腔径に対応する、項目１に記載のシステム。
（項目６）
前記報告が前記動脈の前記部分の第２の表現をさらに含むシステムであって、
前記少なくとも１つの前記血流特性値を含む前記報告上にインジケータを、前記インジケータが前記第１の表現上に点を、前記第２の表現上に対応する点を視覚的に示すように表示する、
ように前記コンピュータシステムがさらに構成される、項目１に記載のシステム。
（項目７）
前記少なくとも１つの前記血流特性値が所定の閾値を満たすことが検知される際に前記インジケータが前記報告上に表示される、項目２３に記載のシステム。
（項目８）
前記動脈の前記部分の解剖学的組織画像を含む、前記報告のための前記動脈の前記部分の第２の表現を生成し、
前記表現及び前記第２の表現に基づいて前記動脈の前記部分の第３の表現を、前記第３の表現が前記第１の軸に沿って配向する前記動脈の前記部分の三次元表現を含み、前記動脈の前記部分の前記第３の表現が１つまたは複数の関連する前記血流特性値にしたがって示されるように生成する、
ように前記コンピュータシステムがさらに構成される、項目１に記載のシステム。
（項目９）
前記第２の軸が複数の血流特性にさらに対応する、項目１に記載のシステム。
（項目１０）
前記表現が、前記動脈の前記部分に沿った１つまたは複数の動脈交差部の１つまたは複数の位置に対応する前記第１の軸に沿った１つまたは複数のインジケータをさらに含む、項目１に記載のシステム。
（項目１１）
前記動脈の前記部分の解剖学的組織画像を含む、前記報告のための前記動脈の前記部分の第２の表現を生成し、
前記表現及び前記第２の表現に基づいて、前記動脈の前記部分の第３の表現を、前記第３の表現が前記動脈の前記部分の三次元表現を含み前記モデルの少なくとも一部に対応し、前記表現、前記第２の表現、及び前記第３の表現が、前記動脈の前記部分の前記近位及び遠位端に対応する前記第１の軸を共有するように生成する、
ように前記コンピュータシステムがさらに構成される、項目１に記載のシステム。
（項目１２）
前記第１の軸が前記動脈の前記部分の前記大動脈口からの位置の距離に対応する、項目１に記載のシステム。
（項目１３）
前記線に沿った位置における前記線の色が前記動脈の対応する位置における前記血流特性値に対応する、項目９に記載の方法。
（項目１４）
前記線に沿った位置における前記線の幅が前記動脈の対応する位置における内腔径に対応する、項目９に記載の方法。
（項目１５）
前記報告が前記動脈の前記部分の第２の表現をさらに含む方法であって、
前記少なくとも１つの前記血流特性値を含む前記報告上のインジケータの、前記インジケータが前記第１の表現上に点を、前記第２の表現上に対応する点を視覚的に示すような表示、
をさらに含む、項目９に記載の方法。
（項目１６）
前記少なくとも１つの前記血流特性値が所定の閾値を満たすことが検知される際に前記インジケータが前記報告上に表示される、項目３２に記載の方法。
（項目１７）
前記動脈の前記部分の解剖学的組織画像を含む、前記報告のための前記動脈の前記部分の第２の表現の生成と、
前記表現及び前記第２の表現に基づく、前記動脈の前記部分の第３の表現の、前記第３の表現が前記第１の軸に沿って配向する前記動脈の前記部分の三次元表現を含み、前記動脈の前記部分の前記第３の表現が１つまたは複数の関連する前記血流特性値にしたがって示されるような生成と、
をさらに含む、項目９に記載の方法。
（項目１８）
前記第２の軸が複数の血流特性にさらに対応する、項目９に記載の方法。
（項目１９）
前記表現が、前記動脈の前記部分に沿った１つまたは複数の動脈交差部の１つまたは複数の位置に対応する前記第１の軸に沿った１つまたは複数のインジケータをさらに含む、項目９に記載の方法。
（項目２０）
前記動脈の前記部分の解剖学的組織画像を含む、前記報告のための前記動脈の前記部分の第２の表現の生成と、
前記表現及び前記第２の表現に基づく前記動脈の前記部分の第３の表現の、前記第３の表現が前記動脈の前記部分の三次元表現を含み、前記モデルの少なくとも一部に対応し、前記表現、前記第２の表現、及び前記第３の表現が前記動脈の前記部分の前記近位及び遠位端に対応する前記第１の軸を共有するような生成と、
をさらに含む、項目９に記載の方法。